(57)【要約】      （修正有）【課題】伸縮管が継手部に覆設されて伸縮し、送風機により送風されて加熱部材により加熱された温風が伸縮管に直通し送風され、転向されないため風力が減衰せず、薄型化を達成して空気漏れを減少させ、構造設計も制限させずに薄型化させて部材コストを低下させる、温風を送風する乾燥装置を提供する。【解決手段】本体１には加熱部材２及び送風機３が内設される。本体には継手部１４を有し、伸縮管４により本体の継手部に覆設され、加熱部材及び送風機は制御ユニット６に制御されて動作し温風を発生し、伸縮管は継手部の延出方向に沿って延出または伸縮される。【選択図】図２
0003191740.tif 000002
【実用新案登録請求の範囲】
【請求項１】
本体と、
前記本体の収納空間内に設置される加熱部材と、
前記本体の収納空間に内設され、前記加熱部材に対向すると共に前記第一風吐出口の反対側に位置され、送風方向は前記加熱部材を経て前記第一風吐出口に直通する送風機と、
縦方向に両端を貫通させる孔部を有し、一端は前記継手部を孔部に覆設させ、前記第一風吐出口は前記孔部に連通され、前記孔部の前記本体から離れる一端には前記第一風吐出口に連通される第二風吐出口が形成され、前記継手部の延出方向に沿って所定の長さに伸縮し、前記継手部が収縮される場合前記第一底面に水平する第二底面を有し、前記継手部が延出される場合前記継手部の下方の中空箇所に逆流流路が形成される伸縮管と、
前記本体に設置され、前記送風機と前記加熱部材とは電気的に接続され、前記送風機及び前記加熱部材の動作を制御するための制御ユニットと、を備え、
本体の内部は収納空間を有し、本体の外部は該本体を横に載置する第一底面、該本体を縦に載置する側面、継手部、及び少なくとも１つの吸気部からなり、前記継手部は前記本体の側方向から前記第一底面に平行して所定の長さに延出され、継手部の下方は中空になり、継手部から延出される末端は前記収納空間に連通される第一風吐出口を有し、前記側面は前記第一底面の側辺に設けられると共に前記継手部の延出方向に垂直し、前記吸気部は前記収納空間に連通されかつ前記第一底面に設置されていないことを特徴とする乾燥装置。
【請求項２】
前記送風機はモーター及び２つの送風ファンを備え、前記２つの送風ファンは前記モーターの両側に設置されると共に前記第一風吐出口に向って送風し、前記本体は前記２つの送風ファンの側辺にそれぞれ位置される２つの吸気部を有し、前記伸縮管的の両側は側方向に送風するための補助風吐出口をそれぞれ有することを特徴とする、請求項１に記載の乾燥装置。
【請求項３】
前記伸縮管の前記第二風吐出口には送風角度の調整に用いられる風向調整部材が設置され、前記風向調整部材には複数の整流部材が間隔をあけて設置される軸桿を備え、前記複数の整流部材の対向する両側には空気入口及び空気出口をそれぞれ有し、複数の整流部材の前記空気入口及び前記空気出口とは異なる各側には蓋体が封着され、前記伸縮管の両側の前記第二風吐出口の一端には２つの突出部を有し、前記軸桿の両端は前記２つの突出部にそれぞれ枢設され、前記風向調整部材には前記軸桿に連結される動力源が設置され、前記動力源は前記軸桿を連動して回転させ、前記動力源はモーター及び減速歯車を含み、前記軸桿の一端には第一歯車が設けられ、前記モーターの枢動軸の端部には第二歯車が設けられ、前記減速歯車は前記第一歯車と前記第二歯車との間に設置されると共に相互に噛合され、前記減速歯車及び前記第一歯車の直径は前記第二歯車の直径より大きいことを特徴とする、請求項１に記載の乾燥装置。
【考案の詳細な説明】
【技術分野】
【０００１】
本考案は、温風を送風する乾燥装置に関する。
【背景技術】
【０００２】
特許文献１に記載される乾燥機は主に乾燥機本体１にバッグ１０が連結され、ふとんが前記バッグを被覆することで、前記本体により温風がバッグに送風された後に排出されるため、ふとんの温め効果を達成する。なお、特許文献２に記載される乾燥機は主に乾燥機の本体１に支持フレーム１１が組み合わされ、前記支持フレームによりふとんを開き、温風がふとんに充満されることでふとんの温め効果を達成する。前述の２つの従来の技術に記載される乾燥機は共にふとんの温め効果を有するが、温風を供給する本体以外、バッグや支持フレーム等の補助器具が必要であり、ふとんを温める際の作業が面倒で不便である問題があった。
【０００３】
さらに、特許文献３に記載される乾燥機は乾燥機本体１１に内部送風路３８、加熱ヒータ６０、及び前記本体の前端に枢設される吐出部材２６が設置され、前記吐出部材は使用時に折り出され、使用しない場合は折り返される。前記内部送風路は運転中に前記本体内に冷風を送風し、冷風は前記加熱ヒータにより加熱されて温風となって、折り出される前記吐出部材から送風される。このため、ふとんを温める際には吐出部材をふとんの中に入れるため、補助器具無しで温風をふとん内に送風することができる。
【先行技術文献】
【特許文献】
【０００４】
【特許文献１】日本実用新案登録第２５７７８３９号公報
【特許文献２】日本特開平６―２１８１９０号公報
【特許文献３】日本特開２０１３―５９４０１号公報
【考案の概要】
【考案が解決しようとする課題】
【０００５】
しかしながら、前述した特許文献３の技術では、主に以下の問題を有する。
１、如特許文献３の図４の説明によれば、前記内部送風路の前記加熱ヒータを経て送風される温風の風向の経路は先ず直線的に送風され、前記乾燥機本体と前記吐出部材との枢設箇所で阻害されるため９０度転向されて側方向の前記吐出部材に送風され、また吐出部材内で再び阻害されて９０度転向した後に送風される。但し、風力は転向する際に阻害されるため減衰し、送風可能距離も短くなり、ふとんの温め効果は乾燥機に近い部分のみ良好であり、乾燥機から離れる程その効果が弱く、故にふとん温め効果が不均一になる問題が発生する。
２、前記吐出部材と前記本体との間は枢設して連結され、温風を送風するための一定の流量を有し、前記吐出部材が前記本体の通路に連通されるには一定の口径が必要であり、故に前記本体と吐出部材との枢設箇所では前記口径により制限され、一定の高さが必要になる。このため、薄型化が難しく、本体及び吐出部材の両側を傾斜させる必要があり、空気漏れを防ぐ方法はふとんを密接に被覆させるのみであり、故に薄型化出来なければ部材の設計が制限されるほか、部材のコストも軽減できない問題があった。
【０００６】
そこで、本考案者は上記の欠点が改善可能と考え、鋭意検討を重ねた結果、合理的かつ効果的に課題を改善する本考案の乾燥装置の提案に到った。
【０００７】
本考案は、上述のような従来の問題を解決するためになされたもので、上記課題を解決するため、本考案は、乾燥装置を提供することを主目的とする。伸縮管が継手部に覆設されて伸縮し、送風機により送風されて加熱部材により加熱された温風は伸縮管に直通し第二風吐出口から送風され、転向されないため風力が減衰せず、薄型化を達成して空気漏れを減少させ、構造設計も制限させずに薄型化させて部材コストを低下させる。
【課題を解決するための手段】
【０００８】
上述した課題を解決し、目的を達成するために、本考案に係る乾燥装置は、
本体と、前記本体の収納空間内に設置される加熱部材と、
前記本体の収納空間に内設され、前記加熱部材に対向すると共に前記第一風吐出口の反対側に位置され、送風方向は前記加熱部材を経て前記第一風吐出口に直通する送風機と、
縦方向に両端を貫通させる孔部を有し、一端は前記継手部を孔部に覆設させ、前記第一風吐出口は前記孔部に連通され、前記孔部の前記本体から離れる一端には前記第一風吐出口に連通される第二風吐出口が形成され、前記継手部の延出方向に沿って所定の長さに伸縮し、前記継手部が収縮される場合前記第一底面に水平する第二底面を有し、前記継手部が延出される場合前記継手部の下方の中空箇所に逆流流路が形成される伸縮管と、
前記本体に設置され、前記送風機と前記加熱部材とは電気的に接続され、前記送風機及び前記加熱部材の動作を制御するための制御ユニットと、を備え、
本体の内部は収納空間を有し、本体の外部は該本体を横に載置する第一底面、該本体を縦に載置する側面、継手部、及び少なくとも１つの吸気部からなり、前記継手部は前記本体の側方向から前記第一底面に平行して所定の長さに延出され、継手部の下方は中空になり、継手部から延出される末端は前記収納空間に連通される第一風吐出口を有し、前記側面は前記第一底面の側辺に設けられると共に前記継手部の延出方向に垂直し、前記吸気部は前記収納空間に連通されかつ前記第一底面に設置されていないことを特徴とする。
【図面の簡単な説明】
【０００９】
【図１】本考案の第１実施形態による乾燥装置を示す外観斜視図である。
【図２】本考案の第１実施形態による乾燥装置を示す縦方向の断面図である。
【図３】本考案の第１実施形態による乾燥装置を示す横方向の断面図である。
【図４】本考案の第１実施形態における風向調整部材により風向を調整する概略図である。
【図５】本考案の第１実施形態による乾燥装置において、ふとんが乾燥された時の縦方向の断面図である。
【図６】本考案の第１実施形態による乾燥装置において、ふとんが乾燥された時の縦方向の断面図である。
【図７】本考案の第１実施形態による乾燥装置において、服が乾燥された時の縦方向の断面図である。
【図８】本考案の第２実施形態による乾燥装置を示す外観斜視図である。
【図９】本考案の第２実施形態による乾燥装置を示す横方向の断面図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１１】
＜第１実施形態＞
本考案の実施形態に係る乾燥装置は図１乃至図３に示すように、本体１、加熱部材２、送風機３、伸縮管４、及び制御ユニット６を備える。前記本体１の内部は収納空間１１を有し、外部は前記本体１が横に載置される第一底面１２、前記本体１が縦に載置される側面１３、継手部１４、及び少なくとも１つの吸気部１５を備える。前記継手部１４は前記本体１の側方向から前記第一底面１２に平行して所定の長さに延出され、継手部１４の下方は中空になり、且つ継手部１４から延出される末端は前記収納空間１１に連通される第一風吐出口１４１を有する。前記側面１３は前記第一底面１２の側辺に設けられると共に前記継手部１４の延出方向に垂直し、前記吸気部１５は前記収納空間１１に連通されると共に前記第一底面１２に設置されていない。
【００１２】
図１乃至図３に示すように、前記加熱部材２及び前記送風機３は共に前記本体１の収納空間１１に内設され、前記送風機３は前記加熱部材２に対向すると共に前記第一風吐出口１４１の反対側に位置し、前記送風機３の送風方向は前記加熱部材２を経て前記第一風吐出口１４１に直通する。
【００１３】
好ましい実施形態では、前記送風機３はモーター３１及び２つの送風ファン３２を備え、前記２つの送風ファン３２は前記モーター３１の両側に設置されると共に前記第一風吐出口１４１に向かって送風し、前記本体１は前記２つの送風ファン３２の側辺にそれぞれ位置する２つの吸気部１５を有する。
【００１４】
図１乃至図３に示すように、前記伸縮管４は縦方向に両端を貫通する孔部４１を有し、前記伸縮管４の一端は前記継手部１４を孔部４１に覆設させる。前記第一風吐出口１４１は前記孔部４１に連通し、前記孔部４１の前記本体１から離れる一端には前記第一風吐出口１４１に連通される第二風吐出口４２が形成される。前記伸縮管４は前記継手部１４の延出方向に沿って所定の長さに伸縮し、前記伸縮管４は前記継手部１４が収縮される場合前記第一底面１２に水平する第二底面４３を有し、前記伸縮管４から前記継手部１４が延出される場合前記継手部１４の下方の中空箇所には逆流流路４４が形成される。
【００１５】
好ましい実施形態では、前記伸縮管４の両側には側方向に送風するための補助風吐出口４５をそれぞれ有する。前記伸縮管４の前記第二風吐出口４２には風向調整部材５が設置され、前記風向調整部材５は複数の整流部材５２が間隔をあけて設置される軸桿５１を備え、前記複数の整流部材５２の対向する両側には空気入口５２１及び空気出口５２２をそれぞれ有する。また、複数の整流部材５２の前記空気入口５２１及び前記空気出口５２２の異なる各側には蓋体５３が封着され、前記伸縮管４の両側の前記第二風吐出口４２の一端は２つの突出部４６を有し、前記軸桿５１の両端は前記２つの突出部４６にそれぞれ枢設される。この実施形態では、手動方式により前記風向調整部材５を起動させ、送風角度を調整する(図４を参照)。
【００１６】
前記制御ユニット６は前記本体１に設置され、前記送風機３と前記加熱部材２とは電気的に接続され、前記送風機３及び前記加熱部材２を制御して動作させる。本実施形態によると、前記制御ユニット６の前記本体１には複数のボタン６１が設置される。
【００１７】
図５及び図６に示すように、ふとんを温める場合、前記伸縮管４を移動して前記継手部１４を延出状態にし、本体１から延出される継手部１４と伸縮管４とをふとんＡ内に埋設させ、前記本体１を部分的に露出させる。この際継手部１４及び伸縮管４の長さを加えた部分がふとんＡ内に進入し、複数のボタン６１により操作を行い、加熱部材２及び送風機３を作動して温風を発生させる。温風は本体１内の直線を呈する送風経路から前記第二風吐出口４２に直通してふとんＡ内に送風され、及び伸縮管４の両側の補助風吐出口４５は温風が側方向にふとんＡ内に送風されるのを補助し、一定時間内でふとんの温め効果を達成させ、前記逆流流路４４により温風がふとんＡ内を循環流動される。
【００１８】
また、図７に示すように、服を乾かす等のふとんを温める以外の用途で使用する場合、前記側面１３を下にして縦にし、前記風向調整部材５を起動させて前記空気出口５２２を服Ｂに向け、温風を服Ｂに吹き付けて服を乾かす効果を達成する。このほか、使用後は前記伸縮管４に前記継手部１４を縮退させ、体積が小さくなり収納が便利になる。
上述の説明により本実用新案の長所は以下の通りである。
１、伸縮管４が前記継手部１４に覆設される場合、伸縮管４の孔部４１及び前記本体１の収納空間１１は前記継手部１４の第一風吐出口１４１を経て直線的に連通され、伸縮管４に前記継手部１４が縮退されるか、或いは伸縮管４から前記継手部１４が延出されるかにかかわらず、温風は何れも阻害されず直線的に前記第二風吐出口４２から送風される。故に、従来の乾燥機に比べて、風力減衰問題が起こらず、十分な風力で温風をふとんＡ内に供給することができ、ふとんＡを均一に温める、好ましいふとん温め効果を有する。
２、前記伸縮管４は前記継手部１４に覆設されて伸縮するため、従来の乾燥機に比べ、上述の風力が阻害されず、減衰問題が無いため同様に風力も節約でき、伸縮管４が継手部１４に覆設され必要な高さも減少し、薄型化が可能になり、ふとんが持ち上げられる高さも押さえられ、空気漏れを減少させる効果も達成する。また、薄型化しても部材設計は制限されず、部材コストも節約出来る。
【００１９】
＜第２実施形態＞
当然ながら、本考案は多くの実施例が存在するが、その間には細部の僅かな変化があるのみである。本考案の第２実施形態の構成を図８及び図９に示す。前記風向調整部材５には前記軸桿５１に連結される動力源５４が更に設置され、前記動力源５４は前記軸桿５１を連動させて回転する。前記動力源５４はモーター５４１及び減速歯車５４２を備え、前記軸桿５１の一端には第一歯車５１１が設けられ、前記モーター５４１の枢動軸の端部には第二歯車５４３が設けられ、前記減速歯車５４２は前記第一歯車５１１と前記第二歯車５４３との間に設置されると共に相互に噛合され、前記減速歯車５４２及び前記第一歯車５１１の直径は共に前記第二歯車５４３より大きい。
【００２０】
これにより、前記モーター５４１を通じて前記第二歯車５４３が連動されて第一速度で回転し、第二歯車５４３に噛合される減速歯車５４２により減速されて第二速度で回転し、減速歯車５４２により減速された後の回転速度は第一歯車５１１に伝達されて前記軸桿５１を連動して回転させ、前記モーター５４１の制御により前記風向調整部材５に送風角度を自動調整し、第一実施形態と同様な効果を達成する。
【００２１】
以上、本考案の実施形態について図面を参照して詳述したが、具体的な構成はこの実施形態に限られるものではなく、本考案の要旨を逸脱しない範囲の設計変更等も含まれる。
【符号の説明】
【００２２】
１   本体
１１ 収納空間
１２ 第一底面
１３ 側面
１４ 継手部
１４１   第一風吐出口
１５ 吸気部
２   加熱部材
３   送風機
３１ モーター
３２ 送風ファン
４   伸縮管
４１ 孔部
４２ 第二風吐出口
４３ 第二底面
４４ 逆流流路
４５ 補助風吐出口
４６ 突出部
５   風向調整部材
５１ 軸桿
５１１   第一歯車
５２ 整流部材
５２１   空気入口
５２２   空気出口
５３ 蓋体
５４ 動力源
５４１   モーター
５４２   減速歯車
５４３   第二歯車
６   制御ユニット
６１ ボタン
Ａ   ふとん
Ｂ  服
【図１】
0003191740.tif 000003
【図２】
0003191740.tif 000004
【図３】
0003191740.tif 000005
【図４】
0003191740.tif 000006
【図５】
0003191740.tif 000007
【図６】
0003191740.tif 000008
【図７】
0003191740.tif 000009
【図８】
0003191740.tif 000010
【図９】
0003191740.tif 000011
【手続補正書】
【提出日】平成26年5月1日(2014.5.1)
【手続補正１】
【補正対象書類名】実用新案登録請求の範囲
【補正対象項目名】全文
【補正方法】変更
【補正の内容】
【実用新案登録請求の範囲】
【請求項１】
本体と、
前記本体の収納空間内に設置される加熱部材と、
前記本体の収納空間に内設され、前記加熱部材に対向すると共に第一風吐出口の反対側に位置され、送風方向は前記加熱部材を経て前記第一風吐出口に直通する送風機と、
縦方向に両端を貫通させる孔部を有し、一端は継手部を孔部に覆設させ、前記第一風吐出口は前記孔部に連通され、前記孔部の前記本体から離れる一端には前記第一風吐出口に連通される第二風吐出口が形成され、前記継手部の延出方向に沿って所定の長さに伸縮し、前記継手部が収縮される場合第一底面に水平する第二底面を有し、前記継手部が延出される場合前記継手部の下方の中空箇所に逆流流路が形成される伸縮管と、
前記本体に設置され、前記送風機と前記加熱部材とは電気的に接続され、前記送風機及び前記加熱部材の動作を制御するための制御ユニットと、を備え、
本体の内部は収納空間を有し、本体の外部は該本体を横に載置する第一底面、該本体を縦に載置する側面、継手部、及び少なくとも１つの吸気部からなり、前記継手部は前記本体の側方向から前記第一底面に平行して所定の長さに延出され、継手部の下方は中空になり、継手部から延出される末端は前記収納空間に連通される第一風吐出口を有し、前記側面は前記第一底面の側辺に設けられると共に前記継手部の延出方向に垂直し、前記吸気部は前記収納空間に連通されかつ前記第一底面に設置されていないことを特徴とする乾燥装置。
【請求項２】
前記送風機はモーター及び２つの送風ファンを備え、前記２つの送風ファンは前記モーターの両側に設置されると共に前記第一風吐出口に向って送風し、前記本体は前記２つの送風ファンの側辺にそれぞれ位置される２つの吸気部を有し、前記伸縮管の両側は側方向に送風するための補助風吐出口をそれぞれ有することを特徴とする、請求項１に記載の乾燥装置。
【請求項３】
前記伸縮管の前記第二風吐出口には送風角度の調整に用いられる風向調整部材が設置され、前記風向調整部材には複数の整流部材が間隔をあけて設置される軸桿を備え、前記複数の整流部材の対向する両側には空気入口及び空気出口をそれぞれ有し、複数の整流部材の前記空気入口及び前記空気出口とは異なる各側には蓋体が封着され、前記伸縮管の両側の前記第二風吐出口の一端には２つの突出部を有し、前記軸桿の両端は前記２つの突出部にそれぞれ枢設され、前記風向調整部材には前記軸桿に連結される動力源が設置され、前記動力源は前記軸桿を連動して回転させ、前記動力源はモーター及び減速歯車を含み、前記軸桿の一端には第一歯車が設けられ、前記モーターの枢動軸の端部には第二歯車が設けられ、前記減速歯車は前記第一歯車と前記第二歯車との間に設置されると共に相互に噛合され、前記減速歯車及び前記第一歯車の直径は前記第二歯車の直径より大きいことを特徴とする、請求項１に記載の乾燥装置。